(57)【要約】【課題】電力供給サービスを、施設が提案する商品やサービスの購入や利用につなげること容易にし、且つ電力供給サービスの利用者が事前に施設の情報を取得できるようにすることで不利益を回避できるようにし、円滑な電力供給サービスの実施を可能とすることを目的としている。【解決手段】課題を解決するための本発明の情報提供システム１ａは、電力供給サービスを行っている施設の情報をネットワーク２ａを介して取得し、施設を検索する検索者にネットワーク２ａを介して提供する情報提供システム１ａであって、施設の情報をネットワーク２ａを介して施設から取得する情報取得手段と、施設を検索する検索者の検索条件をネットワーク２ａを介して検索者から取得する検索条件取得手段と、情報取得手段が取得した情報から、検索条件取得手段が取得した情報に該当する施設を検索する検索手段と、検索手段により検索した前記施設の情報をネットワーク２ａを介して検索者に提供する提供手段と、を備えることを特徴とする。【選択図】図１
2011138443.tif 000002
【特許請求の範囲】
【請求項１】
電力供給サービスを行っている施設の情報をネットワークを介して取得し、前記施設を検索する検索者にネットワークを介して提供する情報提供システムであって、
前記施設の情報をネットワークを介して前記施設から取得する情報取得手段と、
前記検索者の検索条件をネットワークを介して前記検索者から取得する検索条件取得手段と、
前記情報取得手段が取得した情報から、前記検索条件取得手段が取得した情報を基に該当する前記施設を検索する検索手段と、
前記検索手段により検索した前記施設の情報をネットワークを介して前記検索者に提供する提供手段と、
を備えることを特徴とする、情報提供システム。
【請求項２】
電力供給サービスを行っている施設は、提案する商品やサービスを、電力供給サービスの利用条件として、ネットワークを介して施設を検索する検索者に提案することができ、前記検索者はネットワークを介して希望する条件に該当する前記施設を検索することができることを特徴とする、情報提供サービス。
【発明の詳細な説明】
【技術分野】
【０００１】  本発明は、ネットワークを介して電力供給サービス行っている店舗や公共機関などの施設の情報を提供する、情報提供システムに関するものである。
【背景技術】
【０００２】  従来から、施設の利用者が利用可能なコンセントを設置したり、施設の利用者の携帯電話の充電を無料で行ったりするような、電力供給サービスを行っている施設があり、施設の利用者を増やすという点で利点があった。【０００３】  しかし、電力供給サービスの利用を、施設の提案する商品やサービスの購入や利用につなげることは難しく、電力供給サービスの利用者は、事前に施設の情報を取得することができず、電力供給サービスを利用する際に希望する利用条件と異なることがあり不利益を受けることがあった。
【発明の概要】
【発明が解決しようとする課題】
【０００４】  電力供給サービスを、施設が提案する商品やサービスの購入や利用につなげること容易にし、且つ電力供給サービスの利用者が事前に施設の情報を取得できるようにすることで不利益を回避できるようにし、円滑な電力供給サービスの実施を可能とすることを目的としている。
【課題を解決するための手段】
【０００５】  課題を解決するための請求項１記載の情報提供システム１ａは、電力供給サービスを行っている施設の情報をネットワーク２ａを介して取得し、施設を検索する検索者にネットワーク２ａを介して提供する情報提供システム１ａであって、施設の情報をネットワーク２ａを介して施設から取得する情報取得手段と、施設を検索する検索者の検索条件をネットワーク２ａを介して検索者から取得する検索条件取得手段と、情報取得手段が取得した情報から、検索条件取得手段が取得した情報に該当する施設を検索する検索手段と、検索手段により検索した前記施設の情報をネットワーク２ａを介して検索者に提供する提供手段と、を備えることを特徴とする。【０００６】  ［図１］に示すように電力供給サービスを行っている施設側の、パソコンや携帯電話などの端末装置３ａからインターネットやコンピューターネットワークなどのネットワーク２ａを介して、情報提供システム１ａにアクセスするとサーバ１ｂから［図２］のような入力フォームがネットワーク２ａを介して施設側の端末装置３ａに送信される。その後、入力フォームに施設側の端末装置３ａを用いて電力供給サービスの利用条件として提案する商品やサービスなどの情報を入力しネットワーク２ａを介して情報提供システム１ａに送信すると、サーバ１ｂは、受信した入力フォームから電力供給サービスの利用条件の情報を抽出しデータベース１ｃに格納、保存する。この際、新たに格納される情報の送信元の施設の古い情報がある場合は、新しい情報に更新することが望ましい。【０００７】  電力供給サービスを行っている施設の検索を行う検索者が、パソコンや携帯電話などの端末装置３ｂからネットワーク２ａを介して、情報提供システム１ａにアクセスすると、サーバ１ｂから［図３］のような入力フォームがネットワーク２ａを介して、検索者側の端末装置３ｂに送信される。その後、入力フォームに検索者側の端末装置３ｂを用いて検索条件を入力し、入力した入力フォームをネットワーク２ａを介して情報提供システム１ａに送信すると、サーバ１ｂは受信した入力フォームから検索条件の情報を抽出し、抽出した検索条件の情報を用いてデータベース１ｃから該当する電力供給サービスを検索し、検索に該当した電力供給サービスの情報とともに、該当した電力供給サービスを行っている施設の情報をネットワーク２ａを介して電力供給サービスの検索者側の端末装置３ｂに送信する。【０００８】  また、利用条件とは別に施設のＰＯＳシステムと連動して電力供給サービスの利用状況が、情報提供システム１ａにネットワーク２ａを介して送信されるようにし、サーバ１ｂが受信した情報から施設の利用状況の情報を抽出しデータベース１ｃに格納するようにしたり、利用条件とは別に施設の端末装置３ａを用いて、電力供給サービスの利用状況を情報提供システム１ａにネットワーク２ａを介して送信し、サーバ１ｂが受信した情報から施設の利用状況の情報を抽出し施設の利用状況の情報をデータベース１ｃに格納するようにしたりし、施設の利用状況の情報を検索者に提供できるようにすることが電力供給サービスの円滑な実施にとってより望ましい。
【発明の効果】
【０００９】  これによって、電力供給サービスを行っている施設は利用条件として、商品やサービスを提案することができ購入や利用につなげることが容易となり、電力供給サービスの利用者は、検索者として電力供給を行っている施設を検索することにより、事前に電力供給を行っている施設の情報を取得することができ不利益を回避することができ、円滑な電力供給サービスの実施が可能となる。
【図面の簡単な説明】
【００１０】
【図１】構成の概要。
【図２】施設側の入力フォームの一例。
【図３】検索者側の入力フォームの一例。
【図４】利用条件の情報取得時のフローチャート。
【図５】検索条件の情報取得時のフローチャート。
【図６】施設情報の表示画面の一例。
【図７】施設情報の表示画面の一例。
【図８】ＰＯＳシステムから利用状況取得時のフローチャート。
【発明を実施するための形態】
【００１１】  情報提供システムを、電力供給サービスを、施設が提案する商品やサービスの購入や利用につなげること容易にし、且つ電力供給サービスの利用者が事前に施設の情報を取得できるようにすることで不利益を回避できるようにし、円滑な電力供給サービスの実施を可能とすることを目的とし、機能性や利便性を損なうことなく実現した。
【実施例１】
【００１２】    ［図１］のように、サーバ１ｂ及びデータベース１ｃを含む情報提供システム１ａと、電力供給サービスを行っている施設の端末装置３ａと、電力供給サービスを行っている施設を検索する検索者の端末装置３ｂと、を共通のネットワーク２ａに接続し構成される。情報提供システム１ａ１つに対し、複数の施設および複数の検索者の端末装置がネットワーク２ａに接続され構成されてもよい。【００１３】    情報提供システム１ａは、電力供給サービスを行っている施設の情報をネットワーク２ａを介して取得し、施設を検索する検索者にネットワーク２ａを介して提供する情報提供システム１ａであって、
施設の情報をネットワーク２ａを介して施設から取得する情報取得手段と、
施設を検索する検索者の検索条件をネットワーク２ａを介して検索者から取得する検索条件取得手段と、
情報取得手段が取得した情報から、検索条件取得手段が取得した情報に該当する施設を検索する検索手段と、
検索手段により検索した前記施設の情報をネットワーク２ａを介して検索者に提供する提供手段と、
からなる。【００１４】  情報取得手段は、施設側の携帯電話やパソコンなどの端末装置３ａからネットワーク２ａを介して情報を取得するものである。施設側の端末装置３ａからネットワーク２ａを介して、情報提供システム１ａにアクセスするとサーバ１ｂから［図２］のような入力フォームがネットワーク２ａを介して施設側の端末装置３ａに送信される。その後、受信した入力フォームに施設側の端末装置３ａを用いて電力供給サービスの利用条件として提案する商品やサービスなどの情報を入力しネットワーク２ａを介して情報提供システム１ａに送信すると、サーバ１ｂは、受信した入力フォームから電力供給サービスの利用条件の情報を抽出しデータベース１ｃに格納する。この際、新たに格納されるデータの送信元の施設の古い情報がある場合は、新しい情報に更新することが望ましい。［図４］は利用条件の情報取得時のフローチャートの例である。【００１５】  情報取得手段として取得する情報は、施設が電力供給サービスを施設の利用者に対して行う際の条件であり、例えば、条件金額以上利用、条件金額以上購入、条件品数以上購入、対象商品購入、対象商品注文、対象サービス利用、カテゴリー、金額、商品名、サービス名、電力供給時間、などの条件に関わる情報である。［図２］は入力フォームの画面の一例であり、利用条件の入力を行うことが可能であれば内容を限定するものではない。【００１６】  検索条件取得手段は、電力供給サービスを行っている施設を検索する検索者が操作を行う携帯電話やパソコンなどの端末装置３ｂからネットワーク２ａを介して情報を取得するものであり、検索者側の端末装置３ｂからネットワーク２ａを介して、情報提供システム１ａにアクセスすると、サーバ１ｂから［図３］のような入力フォームがネットワーク２ａを介して、検索者側の端末装置３ｂに送信される。その後、検索者側の端末装置３ｂを用いて受信した入力フォームに検索条件の情報を入力し、ネットワーク２ａを介して情報提供システム１ａに送信すると、サーバ１ｂは受信した入力フォームから検索条件の情報を抽出し、抽出した検索条件の情報を用いてデータベース１ｃから該当する電力供給サービスを検索し、検索に該当した電力供給サービスの情報とともに、該当した電力供給サービスを行っている施設の情報をネットワーク２ａを介して検索者側の端末装置３ｂに送信する。
［図５］は、検索条件の情報取得時のフローチャートであり、［図６］［図７］は情報提供システムから送信されてきた情報を検索者側の端末装置３ｂに表示した際の一例である。【００１７】  検索条件取得手段が取得する情報としては、例えば、条件金額以上利用、条件金額以上購入、条件品数以上購入、対象商品購入、対象商品注文、対象サービス利用、カテゴリー、金額、商品名、サービス名、電力供給時間、空き、待ち時間、などの条件に関わる情報である。［図３］は入力フォームの画面の一例であり、検索条件の入力を行うことが可能であれば内容を限定するものではない。【００１８】  また、利用条件とは別に施設の利用状況の情報を取得し、検索者に施設の利用状況の情報を施設の情報とともに提供することがより望ましく、検索者に施設の利用状況の情報を提供する場合は、施設側のＰＯＳシステムと連動して電力供給サービスの利用状況の情報を取得し、取得した利用状況の情報を情報提供システム１ａにネットワーク２ａを介して送信し、サーバ１ｂが受信した情報から、利用状況の情報を抽出しデータベース１ｃに格納するようにしたり、利用条件とは別に施設側の端末装置３ａから電力供給サービスの利用状況をネットワーク２ａを介して情報提供システム１ａに送信し、サーバ１ｂが受信した情報から利用状況の情報を抽出しデータベース１ｃに格納したりする。この際、利用状況の情報の送信元の古い利用状況の情報がある場合は、新しい利用状況の情報に更新することが望ましい。［図８］は施設側のＰＯＳシステムと連動して利用状況の情報を取得する場合のフローチャートである。端末装置として、利用状况の情報をネットワーク２ａを介して情報提供システム１ａに送信することを目的とした専用の端末装置を用いてもよく、この場合は、利用状況の入力手段と、利用状況の情報の送信手段と、を具備していればよく、ネットワーク２ａ接続可能なハンディーターミナルのようなものや、ネットワーク２ａ接続可能なレジスターのようなものなど、形状や構成などを限定するものではない。
【実施例２】
【００１９】  施設側の商品やサービスを提案する場合は施設側の端末装置３ａから、提案したい商品やサービスの情報を、電力供給サービスを行う際の条件として、ネットワーク２ａを介して情報提供サービスから取得した［図２］のような入力フォームに入力し、ネットワーク２ａを介して情報提供サービスに送信し登録する。【００２０】  電力供給サービスを受けることが可能な施設の情報を検索し取得する場合は、ネットワーク２ａを介して情報提供システム１ａから取得した［図３］のような入力フォームに入力し、ネットワーク２ａを介して情報提供システム１ａに送信し施設の情報を検索し取得する。
【実施例３】
【００２１】  電力供給サービスを行っている施設が商品やサービスの提案を、利用者に対しネットワーク２ａを介して、電力供給サービスを行う条件として提示する。
【符号の説明】
【００２２】  １ａ  情報提供システム
１ｂ  サーバ
１ｃ  データベース
２ａ  ネットワーク
３ａ  施設側の端末
３ｂ  検索者側の端末
【図１】
2011138443.tif 000003
【図２】
2011138443.tif 000004
【図３】
2011138443.tif 000005
【図４】
2011138443.tif 000006
【図５】
2011138443.tif 000007
【図６】
2011138443.tif 000008
【図７】
2011138443.tif 000009
【図８】
2011138443.tif 000010